(57)【要約】【課題】化石燃料、大気汚染、環境問題等の課題があり解決策として、重力を利用するためには如何なる方法で重力から回転力を得るかという問題があった。【解決手段】本発明の図1に示す台基板1の上で、重量物9と直結した水圧ポンプ3と付属機器を回転して重力を高水圧力の往復流動運動に変換した。その高水圧力を水圧シリンダ13に流入しピストン軸30に接触結合している往路側バネ式押し棒形推進機12と、連結金具46で直結している復路側バネ式押し棒形推進機42は、推進力バネ25と55に回転機器部全体が回転するたびに反発圧縮力を蓄積する。蓄積した反発圧縮力を瞬時に開放すれば、図6に示す、接触部10と50で台基板1の凹凸部26と対角線上にある他の凹凸部を接触打撃して、その反動力で回転機器部全体の回転推進力となる回転力を得た循環回路構成である。【選択図】  図1
2007016740.tif 000002
【特許請求の範囲】
【請求項１】
自然界の力である重力と遠心力を利用するため図1に示す台基板1の上で、重量物9と直結した水圧ポンプ3とその付属機器を回転させ、回転力で重量物9の重力作用である上下運動を水圧ポンプ3のピストン2の運動作用に変換して高水圧力の往復流動運動力を得た。その機構。
【請求項２】
図4に示す水圧シリンダ13とその往路側バネ式押し棒形推進機12を接触結合させるため基板32の上に固定した。その接触結合は水圧シリンダ13のピストン軸30の往路側先端に押し棒起動開閉器兼結合器板24が直結しているので、推進力押し棒22とは接触結合する。故に水圧シリンダ13のピストン軸30の往復運動で往路側作用力は接触結合で押し棒推進力バネ25に反発圧縮力として伝達され蓄積する。その往路側バネ式押し棒形推進機12の構造。
【請求項３】
図5に示す水圧シリンダ13とその復路側バネ式押し棒形推進機42も基板32の上に追加固定した。その結合はシリンダ13のピストン軸30と復路側バネ式押し棒形推進機42のパイプ型シャフト軸40に連結金具46で完全固定により往復運動作用の復路側作用力が伝達され、復路側押し棒推進力バネ55に反発圧縮力として蓄積する。その復路側バネ式押し棒形推進機42の構造。
【発明の詳細な説明】
【技術分野】
【０００１】
本発明は、重力を利用するために水圧ポンプを用いた永久機関に関する。
【背景技術】
【０００２】
従来には、永久機関として実用化できる出力を得る回転機械は無い。回転力を得る機械は化石燃料を必要としていた。
【特許文献１】永久機関−英国特許 No4632号1821年  ジョウジ、リントン
【非特許文献１】非平衡車輪-1638年提案  エドワード、ソメアセット
【発明の開示】
【発明が解決しようとする課題】
【０００３】
化石燃料は有限であるから化石燃料を必要としない機械の開発が要求されていた。
【０００４】
本発明の回転運動機は接触抵抗、摩擦抵抗を減少させ安定した出力を得る事である。
【０００５】
大気汚染や環境問題を解決する事である。
【課題を解決するための手段】
【０００６】
本発明は自然界の力である重力と遠心力を利用するため図1に示す台基板1の上で、重量物9と直結した水圧ポンプ3とその付属機器を回転させ、回転力で重量物9の重力作用である上下運動を水圧ポンプ3のピストン2の運動作用に変換して高水圧力の往復流動運動力を得た。その高水圧力を水圧シリンダ13に流入してピストン軸30を往復運動させる。水圧シリンダ13のピストン軸30に接触結合している往路側バネ式押し棒形推進機12と直結金具46で結合している復路側バネ式押し棒形推進機42の反発作用力を、回転機器部全体の反動推進力として回転運動作用に変換している回転機を完成した。
【０００７】
上記回転機は化石燃料を必要としない、燃焼作用がない、大気汚染がない、環境問題は解決できる。
【０００８】
回転機械の部所、部品の接触抵抗を減少するため車輪5の多用、摩擦抵抗部所にはボール、ベアリング14を多用。水圧力調整は水圧力調整バルブ17と台基板1の傾斜角度の設定で安定出力の調整ができる。
【０００９】
図2は、出力軸15を中心とする正面断面図の回転運動機で、出力軸15に単独1基の回転機器部と台基板1の回転運動機基である。同一出力軸に2基の回転運動機基を設置すれば、回転運動を推進するバネ式押し棒作用は連続2基の複数作用が重複するから安定な出力が得られる。
【発明の効果】
【００１０】
水圧ポンプ3を稼動する重量物9は重さに応じて、回転機器部全体を含む台基板1の傾斜角度を自由に設定できるので、台基板1の傾斜角度を20度から90度までの設定で重量物9は水圧ポンプ3を稼動する。
【００１１】
回転運動機の運転には化石燃料を必要としないので燃焼作用がない、排ガスがない、大気汚染がない、環境問題がない回転機の回転力が得られる。
【００１２】
回転運動機は地上、海上での気象条件、熱帯地方寒冷地方でも場所に関係なく、如何なる条件でも稼動する。
【００１３】
製作、故障修理に高度の技術を必要としない。回転運動、運転、全ての機械部品は直接視覚で確認できる。
【発明を実施するための最良の形態】
【００１４】
本発明の実施の形態を図1〜図6に基づいて説明する。
【００１５】
図1は、台基板1の上で出力軸15を中心に回転する重量物9と直結した水圧ポンプ3であり、図2に示したA―A線断面図と一部の側面図で水圧シリンダ13、往路側バネ式押し棒形推進機12と復路側バネ式押し棒形推進機42の側面位置図である。作用は、回転機器部を含む台基板1の傾斜角度を20度〜90度に設定し出力軸15を中心として回転機器部を回転すれば、重量物9に重力作用である上下運動が起動するので、直結した水圧ポンプ3のピストン2の運動作用が稼動して高水圧力の往復流動運動力が得られる。その高水圧力を水圧シリンダ13に流入してピストン軸30を往復運動にする。
【００１６】
図4は、水圧シリンダ13のピストン軸30の往復運動力で往路側バネ式押し棒形推進機12への伝達は、水圧シリンダ13のピストン軸30の往路側先端に直結された押し棒起動開閉器兼結合器板24を通じて伝達する。作用は、水圧シリンダ13のピストン軸30の往路側先端に直結された押し棒起動開閉器兼結合器板24は、往路側バネ式押し棒形推進機12の推進力押し棒22が押し棒起動開閉器兼結合器板24と接触結合する凸部28に押し棒起動開閉器兼結合器板24が閉じた状態で接触結合している。水圧シリンダ13のピストン軸30の往路側運動力は押し棒起動開閉器兼結合器板24が閉じた状態で、その運動力を接触結合で推進力押し棒22に伝達するため往路側の押し棒推進力バネ25に反発圧縮力が蓄積している。
【００１７】
往路側の押し棒推進力バネ25に蓄積している反発圧縮力は、水圧シリンダ13のピストン軸30の往路側先端に直結された押し棒起動開閉器兼結合器板24のピストン運動の往路進行作用により、押し棒起動開閉器兼結合器板24をガイド、レール棒31で導いて自動起動スイッチ29に近づければ、自動的に押し棒起動開閉器兼結合器板24の板が開き推進力バネ25に蓄積していた反発圧縮力が瞬時に開放される。それで図6に示す、推進力押し棒22が台基板1との接触部10で台基板1の凹凸部26を接触打撃して、その反動反発力で回転機器部全体の回転推進力となる。
【００１８】
往路側の押し棒推進力バネ25が反発圧縮力を瞬時に開放した後は、水圧シリンダ13のピストン軸30と往路側バネ式押し棒形推進機12の推進力押し棒22が再度接触結合するため、押し棒起動開閉器兼結合器板24はピストン運動の復路進行作用により、接触結合する推進力押し棒の凸部28の位置まで移動して行き再度接触結合して、始めからの行動を繰り返し往復運動する。
【００１９】
図5は、水圧シリンダ13のピストン軸30の往復運動力で復路側バネ式押し棒形推進機42への伝達は、水圧シリンダ13のピストン軸30の復路側先端に連結金具46で完全固定した状態で、復路側バネ式押し棒形推進機42のパイプ型シャフト軸40に伝達されている。作用は、図5-ａ、押し棒推進力バネ55に反発圧縮力が蓄積していない状態。図5-ｂ、ピストン軸30が復路側への運動を作動し、復路側バネ式押し棒形推進機42のパイプ型シャフト軸40と共に推進力バネ圧縮板43も復路側へ進行するので押し棒推進力バネ55に反発力が圧縮されて行く。パイプ型シャフト軸40の中を通る推進力押し棒41は停止したままの状態。図5-ｃ、推進力バネ圧縮板43がスライド、スイッチ棒44を押したためスライド、スイッチが起動して推進力バネ55の反発圧縮力が開放され、推進力押し棒41と推進力バネ支え円筒57が突き出した状態。図5-ｄ、スライド、スイッチ棒44が押されてスライド部63が起動したので、推進力バネ支え円筒が突き出した状態でのスライド、スイッチ部所の拡大図。
【００２０】
復路側の押し棒推進力バネ55が反発圧縮力を瞬時に開放した後は、水圧シリンダ13のピストン軸30の往路進行によりパイプ型シャフト軸40と推進力押し棒41の後端にパイプ穴通過止め凸部があるため、共に押し戻され図5-ａの状態になりスライド、スイッチ44が設定され、推進力バネ支え円筒の突き出し阻止金具64も設定される。      
【図面の簡単な説明】
【００２１】
【図１】図2で示すA―A線断面図と一部の側面図で水圧シリンダ13、往路側バネ式押し棒形推進機12と復路側バネ式押し棒形推進機42の側面位置図
【図２】回転軸を中心とする正面の断面図
【図３】図2で示すB―B線断面図
【図４】水圧シリンダ13と往路側バネ式押し棒形推進機12の一部断面図と斜視図
【図５】-a、図4の水圧シリンダ13と同一基板に並列固定された、復路側バネ式押し棒形推進機42の一部断面図と斜視図。-b、左面側よりの一部断面斜視図。-c、左面側よりの一部断面斜視図。-d、スライド、スイッチ棒44が押されてスライド部63が起動した状態の拡大図。
【図６】水圧シリンダ13、往路側バネ式押し棒形推進機12と復路側バネ式押し棒形推進機42が基盤32の上に固定されて、回転機器部本体に取り付けられた状態の斜視図
【符号の説明】
【００２２】
1  台基板
2  水圧ポンプのピストン
3  水圧ポンプ
4  車輪レール
5  車輪
6  衝撃緩衝バネ
7  ボール、ベアリング入り重量物支え金具
8  重量物の下方支え棒
9  重量物
10  往路側押し棒が台基板凹凸部に接する部
12  往路側バネ式押し棒形推進機
13  水圧シリンダ
14  ボール、ベアリング
15  出力軸
16  重量物の上方支え棒の補強材
17  水圧力調整バルブ
18  重量物の重圧力を水圧ポンプのピストン軸への伝達棒
19  水圧流輸送パイプ
20  重量物の上方支え棒
21  補強板
22  往路側の推進力押し棒
23  押し棒起動開閉器兼結合器板の支えバネ付ピン兼ボルト
24  押し棒起動開閉器兼結合器板
25  往路側押し棒推進力バネ
26  台基板に付属する打撃緩衝凹凸部、往路側と対角線上の復路側にもあり
28  押し棒起動開閉器兼結合器板に接触結合する推進力押し棒の凸部
29  押し棒起動開閉器兼結合器板を自動起動開放する円錐型スイッチ
30  水圧シリンダのピストン軸
31  自動起動開放する円錐型スイッチへのガイド、レール棒
32  水圧シリンダと往路側と復路側バネ式押し棒形推進機を固定している基板
40  バイプ型シャフト軸
41  パイプ型シャフト軸の中を通る復路側の推進力押し棒
42  復路側バネ式押し棒形推進機
43  推進力バネ圧縮板
44  スライド、スイッチ棒
46  水圧シリンダのピストン軸とパイプ型シャフトを連結固定する金具
50  復路側押し棒が台基板凹凸部に接する部
55  復路側押し棒推進力バネ
57  推進力バネ支え円筒
61  スライド、スイッチ棒を設定する弱いバネ
62  推進力バネ支え円筒の突き出しを阻止する金具を設定する弱いバネ
63  スライド、スイッチのスライド部
64  推進力バネ支え円筒の突き出しを阻止する金具
【図１】
2007016740.tif 000003
【図２】
2007016740.tif 000004
【図３】
2007016740.tif 000005
【図４】
2007016740.tif 000006
【図５】
2007016740.tif 000007
【図６】
2007016740.tif 000008
【手続補正書】
【提出日】平成17年7月14日(2005.7.14)
【手続補正１】
【補正対象書類名】特許請求の範囲
【補正対象項目名】請求項１
【補正方法】変更
【補正の内容】
【請求項１】
自然界の力である重力と遠心力を利用するため図1に示す台基板1の上で、重量物9と直結した水圧ポンプ3とその付属機器を回転させ、回転力で重量物9の重力作用である上下運動を水圧ポンプ3のピストン2の運動作用に変換して高水圧力の往復運動作用力を得た。その組み立て方法。
【手続補正書】
【提出日】平成17年7月19日(2005.7.19)
【手続補正１】
【補正対象書類名】特許請求の範囲
【補正対象項目名】請求項１
【補正方法】変更
【補正の内容】
【請求項１】
自然界の力である重力と遠心力を利用するため図1に示す台基板1の上で、重量物9と直結した水圧ポンプ3とその付属機器を回転させ、回転力で重量物9の重力作用である上下運動を水圧ポンプ3のピストン2の運動作用に変換して高水圧力の往復流動運動力を得た。その複数部品の配置と組み立て方法。
【手続補正書】
【提出日】平成17年7月20日(2005.7.20)
【手続補正１】
【補正対象書類名】特許請求の範囲
【補正対象項目名】請求項１
【補正方法】変更
【補正の内容】
【請求項１】
自然界の力である重力と遠心力を利用するため図1に示す台基板1の上で、重量物9と直結した水圧ポンプ3とその付属機器を回転させ、回転力で重量物9の重力作用である上下運動を水圧ポンプ3のピストン2の運動作用に変換して高水圧力の往復流動運動力を得た。その複数部品を配置した組み立て方法。